(57)【要約】【課題】  格段と効率的にコンテンツデータを取得させ得るようにする。【解決手段】  この音楽再生端末４は、音楽提供サーバ２から提供された音楽管理リストＬ１中の音楽識別情報を表示部１２に出力して表示する際、端末記憶部８に未だ記憶保持されていない音楽データの音楽識別情報については、未だ記憶保持されていない旨を示す未記憶形態（チェックボックスＣＫＢを対応付けて表示する形態）として出力して表示し、端末記憶部８に既に記憶保持されている音楽データの音楽識別情報については、既に記憶保持されている旨を示す既記憶形態（チェックボックスＣＫＢを対応付けないで表示する形態）として出力して表示する。【選択図】          図８
2007042253.tif 000002
【特許請求の範囲】
【請求項１】
コンテンツデータを記憶するコンテンツ記憶手段と、
コンテンツデータを提供するコンテンツ提供装置により提供可能な各コンテンツデータのコンテンツ識別情報を出力する出力手段と、
上記出力手段により出力されたコンテンツ識別情報を選択する選択操作が行われると当該選択されたコンテンツ識別情報により識別されるコンテンツデータを上記コンテンツ提供装置から取得するコンテンツ取得手段と
を有し、
上記出力手段は、
上記コンテンツ記憶部に未だ記憶されていないコンテンツデータのコンテンツ識別情報については未だ記憶されていない旨を示す未記憶形態として出力し、上記コンテンツ記憶部に既に記憶されているコンテンツデータのコンテンツ識別情報については既に記憶されている旨を示す既記憶形態として出力する
ことを特徴とするコンテンツ取得装置。
【請求項２】
上記コンテンツ提供装置により提供可能な各コンテンツデータのコンテンツ識別情報が示された提供可能リストを上記コンテンツ提供装置から取得するリスト取得手段
を有し、
上記出力手段は、上記提供可能リストに示されたコンテンツ識別情報を出力する
ことを特徴とする請求項１に記載のコンテンツ取得装置。
【請求項３】
上記リスト取得手段は、上記コンテンツ提供装置に保持されている上記提供可能リストに示されていて当該コンテンツ取得装置により取得された上記提供可能リストに示されていない上記コンテンツ識別情報がある場合、当該示されていないコンテンツ識別情報のみを上記コンテンツ提供装置から取得する
ことを特徴とする請求項２に記載のコンテンツ取得装置。
【請求項４】
上記コンテンツ提供装置からコンテンツデータを取得すべきか否かを確認する確認情報を出力する確認情報出力手段
を有し、
上記コンテンツ取得手段は、上記確認情報を出力した後取得すべき旨の操作が行われると上記コンテンツ提供装置から当該コンテンツデータを取得する
ことを特徴とする請求項１に記載のコンテンツ取得装置。
【請求項５】
上記コンテンツ識別情報は、複数のコンテンツを示す
ことを特徴とする請求項１に記載のコンテンツ取得装置。
【請求項６】
コンテンツデータを提供するコンテンツ提供装置により提供可能な各コンテンツデータのコンテンツ識別情報を表示部に出力する出力ステップと、
上記表示部に出力されたコンテンツ識別情報を選択する選択操作が行われると当該選択されたコンテンツ識別情報により識別されるコンテンツデータを上記コンテンツ提供装置から取得するコンテンツ取得ステップと
を有し、
上記出力ステップでは、
コンテンツデータを記憶するコンテンツ記憶手段に未だ記憶されていないコンテンツデータのコンテンツ識別情報については未だ記憶されていない旨を示す未記憶形態として出力し、上記コンテンツ記憶部に既に記憶されているコンテンツデータのコンテンツ識別情報については既に記憶されている旨を示す既記憶形態として出力する
ことを特徴とするコンテンツ取得装置のコンテンツ取得方法。
【請求項７】
コンピュータに対し、
コンテンツデータを提供するコンテンツ提供装置により提供可能な各コンテンツデータのコンテンツ識別情報を表示部に出力する出力ステップと、
上記表示部に出力されたコンテンツ識別情報を選択する選択操作が行われると当該選択されたコンテンツ識別情報により識別されるコンテンツデータを上記コンテンツ提供装置から取得するコンテンツ取得ステップと
を実行させるコンテンツ取得プログラムであって、
上記出力ステップでは、
コンテンツデータを記憶するコンテンツ記憶手段に未だ記憶されていないコンテンツデータのコンテンツ識別情報については未だ記憶されていない旨を示す未記憶形態として出力し、上記コンテンツ記憶部に既に記憶されているコンテンツデータのコンテンツ識別情報については既に記憶されている旨を示す既記憶形態として出力する
ことを特徴とするコンテンツ取得プログラム。
【発明の詳細な説明】
【技術分野】
【０００１】
本発明はコンテンツ取得装置、コンテンツ取得方法及びコンテンツ取得プログラムに関し、例えば、音楽データを記憶保持する音楽記憶装置から音楽再生装置に対して音楽データを転送する音楽転送システムに適用して好適なものである。
【背景技術】
【０００２】
従来この種の音楽転送システムは、音楽記憶装置から音楽再生装置に対して転送させる音楽データがユーザにより選択されると、当該選択された音楽データを識別する音楽データ識別情報を示した転送リストを生成する。そしてこの音楽転送システムでは、音楽記憶装置と音楽再生装置とが接続された際、当該生成された転送リスト中の音楽データ識別情報により識別される音楽データが、音楽記憶装置から音楽再生装置に対して転送される。かくしてこの音楽転送システムによれば、音楽再生装置に音楽データを取得させることができる（例えば、特許文献１参照）。
【特許文献１】特開２００１−９３２２６公報
【発明の開示】
【発明が解決しようとする課題】
【０００３】
ところでかかる構成の音楽転送システムでは、音楽記憶装置から音楽再生装置に対して転送可能な音楽データが多量に存在する場合、ユーザはこの多量の音楽データの中から音楽再生装置に未だ記憶保持されてない音楽データを見つけ出して転送リストを作成することになるので手間がかかることになり、その結果この音楽再生装置に音楽データを効率的に取得させることができない問題があった。
【０００４】
本発明は以上の点を考慮してなされたもので、格段と効率的にコンテンツデータを取得させ得るコンテンツ取得装置、コンテンツ取得方法及びコンテンツ取得プログラムを提案しようとするものである。
【課題を解決するための手段】
【０００５】
かかる課題を解決するため本発明においては、コンテンツデータを記憶するコンテンツ記憶手段と、コンテンツデータを提供するコンテンツ提供装置により提供可能な各コンテンツデータのコンテンツ識別情報を出力する出力手段と、出力手段により出力されたコンテンツ識別情報を選択する選択操作が行われると当該選択されたコンテンツ識別情報により識別されるコンテンツデータをコンテンツ提供装置から取得するコンテンツ取得手段とを設け、出力手段は、コンテンツ記憶部に未だ記憶されていないコンテンツデータのコンテンツ識別情報については未だ記憶されていない旨を示す未記憶形態として出力し、コンテンツ記憶部に既に記憶されているコンテンツデータのコンテンツ識別情報については既に記憶されている旨を示す既記憶形態として出力するようにした。
【０００６】
これによりユーザは、コンテンツ提供装置から取得するコンテンツデータのコンテンツ識別情報を、出力手段により出力されたコンテンツ識別情報の中から選択する際、コンテンツ取得装置に既に記憶保持されているコンテンツデータのコンテンツ識別情報とコンテンツ取得装置に未だ記憶保持されていないコンテンツデータのコンテンツ識別情報とを容易に判別することができ、かくして取得すべきコンテンツデータを容易に認識することができる。
【発明の効果】
【０００７】
本発明によれば、コンテンツ提供装置から取得するコンテンツデータのコンテンツ識別情報を、出力手段により出力されたコンテンツ識別情報の中から選択する際、コンテンツ取得装置に既に記憶保持されているコンテンツデータのコンテンツ識別情報とコンテンツ取得装置に未だ記憶保持されていないコンテンツデータのコンテンツ識別情報とを容易に判別することができ、かくして取得すべきコンテンツデータを容易に認識することができる。この結果、格段と効率的にコンテンツデータを取得させることができる。
【発明を実施するための最良の形態】
【０００８】
以下図面について、本発明の一実施の形態を詳述する。
【０００９】
（１）概要
図１を用いて、本実施の形態の概要を説明する。因みにこの概要を説明した後、本実施の形態を具体的に説明する。
【００１０】
図１に示すコンテンツ取得装置１００は、コンテンツデータを記憶するコンテンツ記憶部１０１と、コンテンツデータを提供するコンテンツ提供装置により提供可能な各コンテンツデータのコンテンツ識別情報を表示部１０２に出力する出力部１０３と、出力部１０３により表示部１０２に出力されたコンテンツ識別情報を選択する選択操作が行われると当該選択されたコンテンツ識別情報により識別されるコンテンツデータをコンテンツ提供装置から取得するコンテンツ取得部１０４とを有する。因みに表示部１０２は、コンテンツ取得装置１００に固定的又は着脱可能に設けられても良いし、コンテンツ取得装置１００とは異なる装置に設けられても良い。
【００１１】
そしてこの出力部１０３は、コンテンツ記憶部１０１に未だ記憶されていないコンテンツデータのコンテンツ識別情報については未だ記憶されていない旨を示す未記憶形態として表示部１０２へ出力し、コンテンツ記憶部１０１に既に記憶されているコンテンツデータのコンテンツ識別情報については既に記憶されている旨を示す既記憶形態として表示部１０２へ出力するようになされている。
【００１２】
（２）音楽購入転送システムの構成
図２において１は全体として音楽購入転送システム１を示し、音楽データを提供する音楽提供サーバ２と、音楽提供サーバ２からネットワーク３を介して提供される音楽データを受信して記憶保持する音楽再生端末４と、音楽再生端末４に接続された際に当該音楽再生端末４に記憶保持されている音楽データが当該音楽再生端末４から送信されると当該送信された音楽データを受信して記憶保持する携帯音楽再生装置５とを有する。
【００１３】
つまり音楽再生端末４は、例えば図３に示すように、音楽提供サーバ２からネットワーク３を介して提供された音楽データを端末通信部６を介して受信すると、この音楽再生端末４全体を統括的に制御する制御部７は、当該受信した音楽データを端末記憶部８に対して記憶する。そして音楽再生端末４の操作部９に対して音楽再生操作が行われると、これに応じてこの音楽再生端末４の制御部７は、端末記憶部８に記憶されている音楽データを読み出し、当該読み出した音楽データを再生部１０により再生処理し、これにより放音部１１から音楽を放音する。またこの際音楽再生端末４の制御部７は、再生処理している音楽データのアーティスト名やタイトル等を表示部１２に表示する。また音楽再生端末４の制御部７は、携帯音楽再生装置５が有線又は無線を介して接続されている際、端末記憶部８に記憶されている音楽データを通信接続部１３を介して携帯音楽再生装置５に対して送信することができる。
【００１４】
携帯音楽再生装置５は、例えば図４に示すように、接続先の音楽再生端末４から送信された音楽データを通信接続部１４を介して受信すると、この携帯音楽再生装置５全体を統括的に制御する制御部１５は、当該受信した音楽データを記憶部（以下、これを携帯記憶部と呼ぶ）１６に対して記憶する。そして携帯音楽再生装置５の操作部１７に対して音楽再生操作が行われると、これに応じてこの携帯音楽再生装置５の制御部１５は、携帯記憶部１６に記憶されている音楽データを読み出し、当該読み出した音楽データを再生部１８により再生処理し、これにより放音部１９から音楽を放音する。またこの際携帯音楽再生装置５の制御部１５は、再生処理している音楽データのアーティスト名やタイトル等を表示部２０に表示する。
【００１５】
ところで本実施の形態の場合音楽提供サーバ２は、例えば図５に示すように、音楽再生端末４に対して有償提供する複数の音楽データとこれら音楽データを管理するための音楽管理情報（音楽管理リスト）とを記憶するサーバ記憶部２１を有する。
【００１６】
ここでこの音楽管理リストのフォーマットを説明する。例えば図６（Ａ）に示すようにこの音楽管理リストＬ１は、この音楽管理リストＬ１を識別するための音楽管理リスト識別情報が示される。またこの音楽管理リストＬ１は、音楽データを識別するための音楽データ識別情報（図中の「ＩＤ」）と、その音楽データに関連する音楽データ関連情報（その音楽のアーティスト名やアルバム名やジャケット画像等）と、その音楽データの状態を示す音楽データ状態情報とが対応付けて示されるようになされている。
【００１７】
さらにこの音楽データ状態情報は、例えば図６（Ｂ）に示すように、この音楽管理リストＬ１を記憶している装置（音楽提供サーバ２、音楽再生端末４、又は携帯音楽再生装置５）にその音楽データが記憶保持されているか否かを示す音楽データ有無情報と、その音楽データを外部から取得するように要求されているか否かを示す取得要求有無情報とが示されるようになされている。因みに以下では説明の便宜上、音楽データが記憶保持されている場合の音楽データ有無情報を「存在有」と表し、音楽データが記憶保持されていない場合の音楽データ有無情報を「存在無」と表す。また、音楽データを外部から取得するように要求されている場合の取得要求有無情報を「要求有」と表し、音楽データを外部から取得するように要求されていない場合の取得要求有無情報を「要求無」と表す。
【００１８】
従ってこの音楽提供サーバ２は、サーバ記憶部２１に記憶保持している音楽データの音楽データ識別情報と、その音楽データの音楽データ関連情報と、「存在有」及び「要求無」からなる音楽データ状態情報とを対応付けて登録した音楽管理リストＬ１をサーバ記憶部２１に記憶保持する。
【００１９】
またこの音楽提供サーバ２のサーバ記憶部２１に対して新たな音楽データが追加記憶されると、これに応じて音楽提供サーバ２全体を統括的に制御する制御部２２は、当該追加記憶された音楽データの音楽データ識別情報と音楽データ関連情報と「存在有」及び「要求無」からなる音楽データ状態情報とを対応付けて、サーバ記憶部２１に記憶保持している音楽管理リストＬ１に追加登録することにより新たな音楽管理リストＬ１を生成し、当該生成した新たな音楽管理リストＬ１をサーバ記憶部２１に記憶する。またこの際この音楽提供サーバ２の制御部２２は、以前の音楽管理リストＬ１に示されていた音楽管理リスト識別情報とは異なる音楽管理リスト識別情報を新たな音楽管理リストＬ１に対して示すようになされている。因みに本実施の形態の場合この音楽管理リスト識別情報は、音楽管理リストＬ１の新旧世代を判別するためのバージョン情報に相当する。
【００２０】
この音楽提供サーバ２の制御部２２は、例えば、音楽再生端末４から通信接続するように要求された際当該要求に応じてサーバ通信部２３及びネットワーク３を順次介して音楽再生端末４と通信接続すると共に、図７に概念的に示すようにサーバ記憶部２１に記憶されている最新の音楽管理リストＬ１を音楽再生端末４の端末記憶部８にも記憶保持させるようになされている。このようにして音楽再生端末４は、音楽提供サーバ２に保持されている全ての音楽データの音楽データ識別情報や音楽データ関連情報や音楽データ状態情報が示された音楽管理リストＬ１を取得することができる。そして音楽再生端末４の制御部７は、端末記憶部８に既に記憶されている音楽データの音楽データ識別情報が当該取得した音楽管理リストＬ１に示されている場合、この音楽管理リストＬ１中の音楽データ識別情報に対応付けられている音楽データ状態情報を「存在有」に設定変更するようになされている。因みに本実施の形態の場合この音楽再生端末４は、当該取得した音楽管理リストＬ１の情報量を音楽提供サーバ２に記憶されている音楽管理リストＬ１よりも削減して端末記憶部８に記憶保持させるようになされている。この場合この情報量の削減は、例えば音楽管理リストＬ１における音楽データ関連情報の一部を消去することにより実現される。
【００２１】
さらにこの音楽再生端末４の制御部７は、例えば、携帯音楽再生装置５と有線又は無線を介して接続すると、端末記憶部８に記憶している音楽管理リストＬ１を携帯音楽再生装置５の携帯記憶部１６に記憶保持させるようにもなされている。このようにして携帯音楽再生装置５は、音楽提供サーバ２に保持されている全ての音楽データの音楽データ識別情報や音楽データ関連情報や音楽データ状態情報が示された音楽管理リストＬ１を取得することができる。そしてこの携帯音楽再生装置５の制御部１５は、携帯記憶部１６に既に記憶されている音楽データの音楽データ識別情報が当該取得した音楽管理リストＬ１に示されている場合、この音楽管理リストＬ１中の音楽データ識別情報に対応付けられている音楽データ状態情報を「存在有」に設定するようになされている。因みに本実施の形態の場合この携帯音楽再生装置５は、当該取得した音楽管理リストＬ１の情報量を音楽再生端末４に記憶されている音楽管理リストＬ１よりも削減して携帯記憶部１６に記憶保持させるようになされている。この場合この情報量の削減は、例えば音楽管理リストＬ１における音楽データ関連情報の一部を消去することにより実現される。
【００２２】
このように音楽管理リストＬ１を記憶保持している状態において、音楽再生端末４や携帯音楽再生装置５は、当該記憶保持している音楽管理リストＬ１に基づいて例えば図８（Ａ）に示すような取得音楽選択画面を表示する取得音楽選択画面表示処理を実行し得るようになされている。
【００２３】
ここでは、携帯音楽再生装置５が実行する場合を一例にして取得音楽選択画面表示処理手順ＲＴ１（図９）を説明する。なお音楽再生端末４も同様の取得音楽選択画面表示処理手順ＲＴ１を実行することは言うまでもない。
【００２４】
携帯音楽再生装置５の制御部１５はステップＳＰ１において、取得音楽選択画面を表示させるための取得音楽選択画面表示操作が行われると、これに応じてステップＳＰ２に進み、携帯記憶部１６に記憶している音楽管理リストＬ１（図６（Ａ））の例えば１行目を表示位置として認識する。
【００２５】
続いて携帯音楽再生装置５の制御部１５は、この際携帯音楽再生装置５の表示部２０に未だ何ら表示していないことから次のステップＳＰ３で否定結果を得てステップＳＰ４に進む。ステップＳＰ４において携帯音楽再生装置５の制御部１５は、表示位置として認識した例えば１行目の音楽管理リストＬ１を参照し、当該参照した１行目部分から音楽データ識別情報に対応付けられた音楽データ関連情報と音楽データ状態情報とを読み出す。
【００２６】
そして携帯音楽再生装置５の制御部１５はステップＳＰ５に進み、当該読み出した音楽データ関連情報（タイトルやアーティスト名）を表示部２０に表示し、次のステップＳＰ６へ移る。
【００２７】
ステップＳＰ６において携帯音楽再生装置５の制御部１５は、当該読み出した音楽データ状態情報において「存在有」が設定されているか否かを判断する。
【００２８】
このステップＳＰ６において例えば肯定結果が得られると、このことは、音楽管理リストＬ１における１行目の音楽データ識別情報により識別される音楽データが携帯記憶部１６に記憶保持されていることを意味しており、このとき携帯音楽再生装置５の制御部１５はステップＳＰ７に移り、ステップＳＰ５により表示した音楽データ関連情報のみを表示した状態にすることにより、その音楽データが携帯音楽再生装置５に存在する旨をユーザに認識させるようにし、ステップＳＰ１１へ移る。
【００２９】
これに対してこのステップＳＰ６において否定結果が得られると、このことは、音楽管理リストＬ１における１行目の音楽データ識別情報により識別される音楽データが携帯記憶部１６に記憶保持されてないことを意味しており、このとき携帯音楽再生装置５の制御部１５はステップＳＰ８に移り、ステップＳＰ５により表示した音楽データ関連情報に対応付けるようにして枠画像（チェックボックス）ＣＫＢを表示することにより、その音楽データが携帯音楽再生装置５に存在しない旨をユーザに認識させるようにし、ステップＳＰ９に移る。
【００３０】
ステップＳＰ９において携帯音楽再生装置５の制御部１５は、当該読み出した音楽データ状態情報において「要求有」が設定されているか否かを判断する。
【００３１】
このステップＳＰ９において例えば肯定結果が得られると、このことは、音楽管理リストＬ１における１行目の音楽データ識別情報により識別される音楽データを外部から取得するように要求されていることを意味しており、このとき携帯音楽再生装置５の制御部１５はステップＳＰ１０に移り、ステップＳＰ８により表示したチェックボックスＣＫＢ中にチェックマークＣＫＭを表示することにより、その音楽データが取得要求されている旨をユーザに認識させるようにし、ステップＳＰ１１へ移る。
【００３２】
これに対してこのステップＳＰ９において否定結果が得られると、このことは、音楽管理リストＬ１における１行目の音楽データ識別情報により識別される音楽データを外部から取得するように要求されていないことを意味しており、このとき携帯音楽再生装置５の制御部１５はそのままステップＳＰ１１に移る。
【００３３】
ステップＳＰ１１において携帯音楽再生装置５の制御部１５は、音楽管理リストＬ１における次の行を表示位置として認識し、ステップＳＰ３へ戻る。このようにして携帯音楽再生装置５の制御部１５は、ステップＳＰ３〜ステップＳＰ１１を繰り返し実行することにより、携帯音楽再生装置５の表示部２０に表示可能な範囲内で音楽管理リストＬ１の各行を読み出して表示処理するようになされている。
【００３４】
次に、外部から取得する音楽データをこの取得音楽選択画面を介して選択させる際の取得音楽選択処理を説明する。ここでは、携帯音楽再生装置５が実行する場合を一例にして取得音楽選択処理手順ＲＴ２（図１０）を説明する。なお音楽再生端末４も同様の取得音楽選択処理手順ＲＴ２を実行することは言うまでもない。
【００３５】
携帯音楽再生装置５の制御部１５はステップＳＰ２１において、携帯音楽再生装置５の表示部２０に表示している取得音楽選択画面中のチェックボックスＣＫＢのうち取得要求する音楽データに対応するチェックボックスＣＫＢに対してチェックマークＣＫＭをつける取得音楽選択操作が行われるとステップＳＰ２２に移り、例えば、当該取得音楽選択操作により選択された音楽データを取得してよいか否かを確認するための確認情報を携帯音楽再生装置５の表示部２０に表示する。
【００３６】
因みに本実施の形態の場合、音楽再生端末４は音楽提供サーバ２からネットワーク３を介して有償で音楽データを取得することになるので、特にこの取得音楽選択処理手順ＲＴ２が音楽再生端末４において実行されている場合、このステップＳＰ２１の処理によりユーザに有償で音楽データを取得してよいか否かを確認させることができる。
【００３７】
携帯音楽再生装置５の制御部１５は、ユーザからの確認結果として音楽データを取得してよい旨の操作が行われたことを認識するとステップＳＰ２３で肯定結果を得てステップＳＰ２４に移り、携帯記憶部１６に記憶保持している音楽管理リストＬ１に示された音楽データ状態情報のうち、当該チェックマークＣＫＭが付けられたチェックボックスＣＫＢに対応する音楽データ状態情報を参照し、当該参照した音楽データ状態情報を「要求有」に設定する。これに対してユーザからの確認結果として音楽データを取得してはならない旨の操作が行われたことを認識するとステップＳＰ２３で否定結果を得て、かかる音楽データ状態情報を「要求無」に設定したまま終了ステップＳＰ２５に移って取得音楽選択処理手順ＲＴ２を終了する。
【００３８】
このようにしてユーザは、外部（この場合音楽再生端末４）から携帯音楽再生装置５に取得させたい音楽データをこの取得音楽選択画面を介して選択することができる。
【００３９】
次に図１１及び図１２に示すフローチャートを用いて、音楽再生端末４から携帯音楽再生装置５に対して音楽データを転送する際に実行される転送購入処理を説明する。因みにここではこの転送購入処理を、携帯音楽再生装置５において実行される音楽転送要求処理手順ＲＴ３と、音楽再生端末４において実行される音楽購入転送処理手順ＲＴ４とに分けて説明する。
【００４０】
音楽転送要求処理手順ＲＴ３のステップＳＰ３１において携帯音楽再生装置５の制御部１５は、音楽再生端末４に対して有線又は無線を介して接続されたことを認識すると、ステップＳＰ３２に進む。
【００４１】
ステップＳＰ３２において携帯音楽再生装置５の制御部１５は、自身が記憶保持している音楽管理リストＬ１よりも音楽再生端末４が記憶保持している音楽管理リストＬ１が新しい場合、当該新しくなった差分部分だけを示した差分音楽管理リストを音楽再生端末４から受信し、当該受信した差分音楽管理リストを自身が記憶保持している音楽管理リストＬ１と統合することにより、最新の音楽管理リストＬ１に更新するリスト更新処理を実行する。このリスト更新処理についてはこの後詳しく説明する。
【００４２】
次いで携帯音楽再生装置５の制御部１５はステップＳＰ３３に進み、自身が記憶保持している音楽管理リストＬ１の音楽データ状態情報を参照することにより「要求有」が設定されている音楽データ状態情報を認識し、当該認識した音楽データ状態情報に対応付けられている音楽データ識別情報を示した音楽転送要求リストを生成し、当該生成した音楽転送要求リストを音楽再生端末４に対して送信する。例えばこの場合音楽転送要求リストには、複数の音楽データ識別情報がリスト状に示される。
【００４３】
やがて携帯音楽再生装置５の制御部１５は、音楽再生端末４から転送された音楽データを受信するとステップＳＰ３４において肯定結果を得てステップＳＰ３５に進み、当該受信した音楽データを携帯記憶部１６に記憶し、終了ステップＳＰ３６に移って音楽転送要求処理手順ＲＴ３を終了する。このようにして携帯音楽再生装置５は音楽再生端末４に接続された際、ユーザにより事前に取得するように要求された音楽データを音楽再生端末４から取得することができる。
【００４４】
一方音楽購入転送処理手順ＲＴ４のステップＳＰ４１において音楽再生端末４の制御部７は、携帯音楽再生装置５に対して有線又は無線を介して接続されたことを認識すると、ステップＳＰ４２に進む。
【００４５】
ステップＳＰ４２において音楽再生端末４の制御部７は、自身が記憶保持している音楽管理リストＬ１よりも携帯音楽再生装置５が記憶保持している音楽管理リストＬ１が古い場合、新しくなった差分部分だけを示した差分音楽管理リストを生成し、当該生成した差分音楽管理リストを携帯音楽再生装置５に対して送信することにより、携帯音楽再生装置５が記憶保持している音楽管理リストＬ１を最新の音楽管理リストＬ１に更新するリスト更新処理を実行する。このリスト更新処理についてはこの後詳しく説明する。
【００４６】
次いで音楽再生端末４の制御部７は、携帯音楽再生装置５から音楽転送要求リストを受信するとステップＳＰ４３において肯定結果を得てステップＳＰ４４に進み、例えば、当該受信した音楽転送要求リストを参照することによりこれに示されている１つ目の音楽データ識別情報を認識し、当該認識した音楽データ識別情報により識別される音楽データが端末記憶部８に記憶保持されているか否かを判断する。
【００４７】
このステップＳＰ４４において例えば肯定結果が得られると、このことは、携帯音楽再生装置５から転送要求された１つ目の音楽データが音楽再生端末４に記憶保持されていることを意味しており、このとき音楽再生端末４の制御部７はステップＳＰ４５に進み、携帯音楽再生装置５に転送する音楽データの音楽データ識別情報がリスト状に示される転送リストに対して、かかる音楽データ識別情報を示すようにした後、ステップＳＰ４６に移る。
【００４８】
このステップＳＰ４６において音楽再生端末４の制御部７は、音楽データを記憶保持しているか否かの判断が未だなされていない音楽データ識別情報が、携帯音楽再生装置５から受信した音楽転送要求リストに存在するか否かを判断する。
【００４９】
このステップＳＰ４６において例えば肯定結果が得られると、このとき音楽再生端末４の制御部７はステップＳＰ４４に戻り、例えば、音楽転送要求リストに示されている２つ目の音楽データ識別情報を認識し、当該認識した音楽データ識別情報により識別される音楽データが端末記憶部８に記憶保持されているか否かを判断する。
【００５０】
このステップＳＰ４４において例えば否定結果が得られると、このことは、携帯音楽再生装置５から転送要求された２つ目の音楽データが音楽再生端末４に記憶保持されていないことを意味しており、このとき音楽再生端末４の制御部７はステップＳＰ４７に移る。
【００５１】
このステップＳＰ４７において音楽再生端末４の制御部７は、当該記憶保持されていないと認識した音楽データを音楽提供サーバ２から購入して良いか否かを確認する確認情報を音楽再生端末４の表示部１２に表示する。そして音楽再生端末４の制御部７は、ユーザにより購入しない旨の確認操作が行われたことによりこのステップＳＰ４７において否定結果が得られるとこの音楽データを購入せずにステップＳＰ４６に移り、これに対してユーザにより購入する旨の確認操作が行われたことにより肯定結果が得られた場合ステップＳＰ４８に移って、ネットワーク３を介して音楽提供サーバ２と通信接続し、そしてこの音楽データを購入する購入処理を音楽提供サーバ２との間で実行することにより音楽提供サーバ２から有償でこの音楽データを取得し、当該取得した音楽データを端末記憶部８に記憶する。
【００５２】
この後音楽再生端末４の制御部７はステップＳＰ４９に進み、音楽提供サーバ２から有償で取得した音楽データの音楽データ識別情報を転送リストに示した後ステップＳＰ４６に移り、音楽データを記憶保持しているか否かの判断が未だなされていない音楽データ識別情報が、携帯音楽再生装置５から受信した音楽転送要求リストに存在するか否かを判断する。
【００５３】
このステップＳＰ４６において例えば否定結果が得られると、このとき音楽再生端末４の制御部７はステップＳＰ５０に進み、転送リストに示された音楽データ識別情報により識別される音楽データを端末記憶部８から読み出し、当該読み出した音楽データを携帯音楽再生装置５に対して送信し、終了ステップＳＰ５１に移って音楽購入転送処理手順ＲＴ４を終了する。因みに音楽再生端末４の制御部７は、ステップＳＰ４３において携帯音楽再生装置５から音楽転送要求リストを受信しないことで否定結果を得ると、終了ステップＳＰ５１に移って音楽購入転送処理手順ＲＴ４を終了する。このようにして音楽再生端末４は、携帯音楽再生装置５から転送要求された音楽データを携帯音楽再生装置５に対して提供することができる。
【００５４】
続いて図１３に示すフローチャートを用いて、音楽転送要求処理手順ＲＴ３のステップＳＰ３２及び音楽購入転送処理手順ＲＴ４のステップＳＰ４２において実行されるリスト更新処理を説明する。因みにここではこのリスト更新処理を、携帯音楽再生装置５において実行されるリスト更新要求処理手順ＲＴ５と、音楽再生端末４において実行される差分リスト送信処理手順ＲＴ６とに分けて説明する。
【００５５】
リスト更新要求処理手順ＲＴ５のステップＳＰ６１において携帯音楽再生装置５の制御部１５は、音楽再生端末４が記憶保持している最新の音楽管理リストＬ１の音楽管理リスト識別情報を通知するように要求する最新音楽管理リスト識別情報通知要求信号を音楽再生端末４に対して送信する。
【００５６】
次いで携帯音楽再生装置５の制御部１５は、音楽再生端末４が記憶保持している最新の音楽管理リストＬ１の音楽管理リスト識別情報が示された最新音楽管理リスト識別情報通知信号を受信すると、ステップＳＰ６２で肯定結果を得てステップＳＰ６３に進み、当該最新音楽管理リスト識別情報通知信号に示されている最新の音楽管理リスト識別情報が、自身の携帯記憶部１６に記憶している音楽管理リストＬ１の音楽管理リスト識別情報と同じか否かを判断する。
【００５７】
このステップＳＰ６３において肯定結果が得られると、このことは、音楽再生端末４に記憶保持されている最新の音楽管理リストＬ１と、携帯音楽再生装置５に記憶保持されている音楽管理リストＬ１とが同じことを意味しており、このとき携帯音楽再生装置５の制御部１５は、記憶保持している音楽管理リストＬ１を更新する必要がないと判断し、終了ステップＳＰ６９に移ってリスト更新要求処理手順ＲＴ５を終了する。
【００５８】
これに対してステップＳＰ６３において否定結果が得られると、このことは、音楽再生端末４に記憶保持されている最新の音楽管理リストＬ１と、携帯音楽再生装置５に記憶保持されている音楽管理リストＬ１とが異なることから、携帯音楽再生装置５に記憶保持されている音楽管理リストＬ１が古いことを意味しており、このとき携帯音楽再生装置５の制御部１５はステップＳＰ６４に移り、携帯記憶部１６に現在記憶している音楽管理リストＬ１の音楽管理リスト識別情報を示した現在音楽管理リスト識別情報通知信号を音楽再生端末４に対して送信する。
【００５９】
やがて携帯音楽再生装置５の制御部１５は次のステップＳＰ６５において、音楽再生端末４が記憶保持している最新の音楽管理リストＬ１には示されていて携帯音楽再生装置５が現在記憶保持している音楽管理リストＬ１には示されていない音楽データ識別情報とこれに対応する音楽データ関連情報とこれに対応する音楽データ状態情報とが示された差分音楽管理リストを、音楽再生端末４から受信するとステップＳＰ６６に移り、携帯記憶部１６に既に記憶保持している音楽管理リストＬ１と同じ形態になるように当該受信した差分音楽管理リスト中の音楽データ関連情報の一部を消去し、これによりこの差分音楽管理リストの情報量を削減する。
【００６０】
次いで携帯音楽再生装置５の制御部１５はステップＳＰ６７に進み、携帯記憶部１６に既に記憶保持している音楽データの音楽データ識別情報が差分音楽管理リストに示されている場合、当該音楽データ識別情報に対応付けられている音楽データ状態情報を「存在有」に設定変更し、ステップＳＰ６８に進む。
【００６１】
そしてステップＳＰ６８において携帯音楽再生装置５の制御部１５は、携帯記憶部１６に記憶保持している古い音楽管理リストＬ１とかかる差分音楽管理リストとを統合することにより最新の音楽管理リストＬ１を生成し、終了ステップＳＰ６９に移ってリスト更新要求処理手順ＲＴ５を終了する。
【００６２】
一方差分リスト送信処理手順ＲＴ６のステップＳＰ７１において音楽再生端末４の制御部７は、携帯音楽再生装置５から最新音楽管理リスト識別情報通知要求信号を受信するとステップＳＰ７２に進み、端末記憶部８に記憶保持している最新の音楽管理リストＬ１の音楽管理リスト識別情報を示した最新音楽管理リスト識別情報通知信号を携帯音楽再生装置５に対して送信する。
【００６３】
やがて音楽再生端末４の制御部７は、携帯音楽再生装置５から現在音楽管理リスト識別情報通知信号を受信するとステップＳＰ７３において肯定結果を得てステップＳＰ７４に進み、音楽再生端末４が記憶保持している最新の音楽管理リストＬ１には示されていて携帯音楽再生装置５が現在記憶保持している音楽管理リストＬ１には示されていない音楽データ識別情報とこれに対応する音楽データ関連情報とこれに対応する音楽データ状態情報とが示された差分音楽管理リストを生成し、ステップＳＰ７５に進む。
【００６４】
そしてステップＳＰ７５において音楽再生端末４の制御部７は、当該生成した差分音楽管理リストを携帯音楽再生装置５に対して送信し、終了ステップＳＰ７６に移って差分リスト送信処理手順ＲＴ６を終了する。因みに音楽再生端末４の制御部７は、ステップＳＰ７３において携帯音楽再生装置５から現在音楽管理リスト識別情報通知信号を受信しないことで否定結果を得ると、終了ステップＳＰ７６に移って差分リスト送信処理手順ＲＴ６を終了する。
【００６５】
続いて、上述した取得音楽選択画面を介して音楽データを再生させる際の音楽再生処理手順ＲＴ７を説明する。因みにここでは、音楽再生端末４がこの音楽再生処理手順ＲＴ７を実行する場合について述べるが、携帯音楽再生装置５も同様にこの音楽再生処理手順ＲＴ７を実行し得ることは言うまでもない。
【００６６】
音楽再生処理手順ＲＴ７のステップＳＰ８１において音楽再生端末４の制御部７は、取得音楽選択画面中に表示された複数の音楽データ関連情報（アーティスト名やタイトル）のうちの一つを指定してこれを再生するように命令する音楽再生命令操作が行われたことを認識するとステップＳＰ８２に移り、端末記憶部８に記憶されている音楽管理リストＬ１を参照することにより当該指定された音楽データ関連情報に対応する音楽データ状態情報において「存在有」が示されているか否かを判断する。
【００６７】
このステップＳＰ８２において肯定結果が得られると、このことは、音楽再生命令操作により指定された音楽データが音楽再生端末４の端末記憶部８に記憶保持されていることを意味しており、このとき音楽再生端末４の制御部７はステップＳＰ８３に移って、端末記憶部８からこの音楽データを読み出して再生処理することにより音楽を放音し、終了ステップＳＰ８４に移って音楽再生処理手順ＲＴ７を終了する。
【００６８】
これに対してこのステップＳＰ８２において否定結果が得られると、このことは、音楽再生命令操作により指定された音楽データが音楽再生端末４の端末記憶部８に記憶保持されていないことを意味しており、このとき音楽再生端末４の制御部７はステップＳＰ８５に移り、この音楽データを外部から取得（この場合、音楽提供サーバ２からの購入）させるようにするか否かを確認するための確認情報を音楽再生端末４の表示部１２に表示する。
【００６９】
そしてこの音楽再生端末４の制御部７は、ユーザにより取得しない旨の確認操作が行われたことを認識すると、ステップＳＰ８６において否定結果を得て終了ステップＳＰ８４に進み音楽再生処理手順ＲＴ７を終了する。これに対して音楽再生端末４の制御部７は、ユーザにより取得する旨の確認操作が行われたことを認識すると、ステップＳＰ８６において肯定結果を得てステップＳＰ８７に移り、端末記憶部８に記憶保持している音楽管理リストＬ１を参照して、音楽再生命令操作により指定された音楽データの音楽データ識別情報に対応付けられている音楽データ状態情報を「要求有」に設定変更し、終了ステップＳＰ８４に移って音楽再生処理手順ＲＴ７を終了する。これによりこの後音楽再生端末４は、音楽再生命令操作により指定された音楽データを音楽提供サーバ２から有償で取得するようになされている。
【００７０】
因みに本実施の形態の場合、音楽購入転送システム１に対し図６（Ａ）に示したような音楽管理リストＬ１を適用したが、例えば図１５に示すような音楽管理リストＬ１Ｘを適用した場合は、図１４との対応部分に同一符号を付した図１６に示すような音楽再生処理手順ＲＴ７Ｘを実行するようにしても良い。
【００７１】
つまりこの図１５に示す音楽管理リストＬ１Ｘにおいては、音楽データの音楽データ識別情報（「ＩＤ」）と、その音楽データの音楽データ関連情報と、その音楽データの一部からなる試聴データと、その音楽データの音楽データ状態情報とが対応付けられて格納されている。
【００７２】
そして音楽再生端末４により実行される場合を一例として音楽再生処理手順ＲＴ７Ｘを説明すると、この音楽再生端末４の制御部７は、音楽再生命令操作により指定された音楽データが音楽再生端末４の端末記憶部８に記憶保持されていないことからステップＳＰ８２において否定結果が得られるとステップＳＰ８８に移り、かかる音楽管理リストＬ１Ｘ中にこの音楽データの試聴データが格納されているか否かを判断する。このステップＳＰ８８において肯定結果が得られた場合、音楽再生端末４の制御部７はステップＳＰ８９に移り、この音楽管理リストＬ１Ｘから試聴データを読み出して再生処理することによりユーザに試聴させた後ステップＳＰ８５に移って、この音楽データを外部から取得（この場合、音楽提供サーバ２からの購入）させるようにするか否かを確認するようになされている。
【００７３】
（３）動作及び効果
以上の構成において音楽提供サーバ２は、音楽再生端末４に対して提供可能な音楽データを複数保持し、当該提供可能な各音楽データを識別するための音楽識別情報（本実施の形態の場合、音楽データ識別情報や音楽データ関連情報）が示された音楽管理リストＬ１を音楽再生端末４に提供する。
【００７４】
音楽再生端末４は、音楽提供サーバ２から提供された音楽管理リストＬ１中の音楽識別情報を表示部１２に出力して表示する。そしてこの音楽再生端末４は、当該表示された音楽識別情報を選択することによりこの音楽識別情報により識別される音楽データを取得するように要求する取得要求操作が行われると、ネットワーク３を介して音楽提供サーバ２に対して通信接続した際にこの音楽データを音楽提供サーバ２から取得するようになされている。
【００７５】
ここで本実施の形態の場合この音楽再生端末４は、音楽提供サーバ２から提供された音楽管理リストＬ１中の音楽識別情報を表示部１２に表示する際、端末記憶部８に未だ記憶保持されていない音楽データの音楽識別情報については、未だ記憶保持されていない旨を示す未記憶形態（チェックボックスＣＫＢを対応付けて表示する形態）として表示部１２に出力して表示し、端末記憶部８に既に記憶保持されている音楽データの音楽識別情報については、既に記憶保持されている旨を示す既記憶形態（チェックボックスＣＫＢを対応付けないで表示する形態）として表示部１２に出力して表示するようにした。
【００７６】
これによりユーザは、表示部１２に表示された音楽識別情報を選択する取得要求操作を行う際、音楽再生端末４に既に記憶保持されている音楽データの音楽識別情報と音楽再生端末４に未だ記憶保持されていない音楽データの音楽識別情報とを容易に判別することができ、かくして取得すべき音楽データを容易に認識することができる。
【００７７】
以上の構成によれば、表示部１２に表示された音楽識別情報を選択する取得要求操作を行う際、音楽再生端末４に既に記憶保持されている音楽データの音楽識別情報と音楽再生端末４に未だ記憶保持されていない音楽データの音楽識別情報とを容易に判別することができるので、取得すべき音楽データを容易に認識することができ、この結果格段と効率的に音楽データを音楽再生端末４に取得させることができる。
【００７８】
因みに本実施の形態の場合、リスト更新処理としてリスト更新要求処理手順ＲＴ５が携帯音楽再生装置５において実行され差分リスト送信処理手順ＲＴ６が音楽再生端末４において実行される場合について説明したが、このリスト更新要求処理手順ＲＴ５及び差分リスト送信処理手順ＲＴ６はそれぞれ音楽再生端末４及び音楽提供サーバ２においても適宜実行されるようになされている。これにより、音楽提供サーバ２に記憶保持されている最新の音楽管理リストＬ１を、音楽再生端末４側に反映させることができる。
【００７９】
（４）他の実施の形態
上述した実施の形態においては、図６（Ｂ）に示したように、音楽管理リストＬ１中の音楽データ状態情報において、この音楽管理リストＬ１を記憶している装置にその音楽データが記憶保持されているか否かを示す音楽データ有無情報と、その音楽データを外部から取得するように要求されているか否かを示す取得要求有無情報とが示される場合について述べたが、本発明はこれに限らず、例えば図１７に示すように取得要求有無情報に替えて、音楽データを外部から無償で取得するように要求されているか否かを示す転送要求有無情報と、音楽データを外部から有償で取得するように要求されているか否かを示す購入要求有無情報とが示されるようにしても良い。この場合例えば音楽再生端末４（又は携帯音楽再生装置５）は、例えば図１８に示すように、チェックボックスＣＫＢに対して購入要求する旨の購入マークＰＭをつける操作が行われた場合、これに対応する音楽データ状態情報中の購入要求有無情報を購入要求されている旨を示す「購入要求有」に設定し、一方チェックボックスＣＫＢに対して転送要求する旨のチェックマークＣＫＭをつける操作が行われた場合、これに対応する音楽データ状態情報中の転送要求有無情報を転送要求されている旨を示す「転送要求有」に設定する。そしてこの音楽再生端末４（又は携帯音楽再生装置５）は、音楽データ状態情報が「購入要求有」に設定された場合、これに対応する音楽データを外部（音楽提供サーバ２等）から有償で取得する処理を実行し、一方音楽データ状態情報が「転送要求有」に設定された場合、これに対応する音楽データを外部から無償で取得する処理を実行するようになされている。
【００８０】
また上述した実施の形態においては、取得音楽選択画面として図８（Ａ）を適用する場合について述べたが、これが表示される表示装置の能力（表示領域の大きさ等）に応じて、図８（Ｂ）に示すようにアーティストの肖像からなるジャケット画像を表示しても良く、図８（Ｃ）に示すように表示される情報をさらに簡略化しても良い。
【００８１】
また上述した実施の形態においては、携帯音楽再生装置５が音楽提供サーバ２に対して直接接続しない場合について述べたが、本発明はこれに限らず、携帯音楽再生装置５が音楽提供サーバ２に対して直接接続できるようにしても良い。このようにすると携帯音楽再生装置５は、上述の音楽再生端末４と同様の処理を実行することにより、音楽提供サーバ２から直接音楽データを購入することが可能となる。
【００８２】
また上述した実施の形態の場合、携帯音楽再生装置５は、音楽提供サーバ２により記憶保持されている音楽管理リストＬ１を、音楽再生端末４を介して取得する場合について述べたが、本発明はこれに限らず、音楽提供サーバ２と直接通信することができれば、音楽提供サーバ２から直接取得するようにしても良い。
【００８３】
また上述した実施の形態の場合、コンテンツデータとして音楽データを適用する場合について述べたが、本発明はこれに限らず、映像データやプログラムデータを適用しても良い。
【００８４】
また上述した実施の形態の場合、音楽関連リストＬ１には、音楽データを識別するための音楽データ識別情報と、その音楽データに関連する音楽データ関連情報と、その音楽データの状態を示す音楽データ状態情報とが対応付けられて示され、このうちの音楽データ識別情報は例えば音楽データのＩＤを示し、音楽データ関連情報は音楽データに基づく音楽の例えばタイトル、アーティスト名、アルバム名、ジャケット画像などを示すようにした場合について述べたが、本発明はこれに限らず、音楽関連リストＬ１の音楽データ識別情報に別の音楽データの情報を含ませるようにしてもよい。この場合、音楽データ識別情報は、該当コンテンツの音楽データのＩＤにくわえて、別音楽データへのリンク情報を持つことができる。このようにした場合の音楽関連リストＬ１Ｙの構造を図１９（Ａ）及び（Ｂ）に示す。
【００８５】
この場合、音楽関連リストＬ１Ｙの基本的な構造自体は図６に示した音楽関連リストＬ１とほぼ同じであるが、図１９（Ｂ）に示すように、音楽データ識別情報の部分が拡張されている。この図１９（Ｂ）では、一例として、別コンテンツへのリンクを２つ持っている場合の音楽データ識別情報を示している。ちなみに、この音楽データ識別情報に含まれるリンクの数の上限は特に規定されるものではなく、同じく音楽データ識別情報に含まれる終了データまでの複数のリンクを保持するようになされている。また、当然リンクの上限の数を規定するようにしてもよい。このリンクは、例えば、同じアルバム内のコンテンツを紐付けるのに利用する。
【００８６】
このような構造の音楽関連リストＬ１Ｙにした場合、取得音楽選択画面表示処理、取得音楽選択処理、転送購入処理、及びリスト更新処理については、音楽データ識別情報内のコンテンツＩＤ（図６中のＩＤに相当）を用いることで、上述の実施の形態と同様の手順で行うことができる。
【００８７】
一方で、音楽再生処理については、以下の様な手順にすることが可能となる。すなわち図２０のフローチャートに示すように、音楽再生処理手順ＲＴ８のステップＳＰ１００において携帯音楽再生装置５の制御部１５は、ユーザにより音楽再生命令操作が行われたことを認識するとステップＳＰ１０１に移り、その音楽再生命令操作により指定されたコンテンツ自体（すなわち音楽データ）の再生処理を行って次のステップＳＰ１０２に移る。この処理は上述した音楽再生処理手順ＲＴ７のステップＳＰ８３（図１４）と同様の処理である。
【００８８】
ステップＳＰ１０２において制御部１５は、コンテンツの再生処理終了後、音楽データ識別情報に基づき、このコンテンツにリンクが存在する否かを判定する。ここで否定結果を得ると、このことはリンクが存在しないことを表し、このとき制御部１５は、終了ステップＳＰ１０３に移り、この音楽再生処理手順ＲＴ８を終了する。これに対してこのステップＳＰ１０２で肯定結果を得ると、このことはリンクが存在すること表し、このとき制御部１５は、ステップＳＰ１０４に移る。
【００８９】
ステップＳＰ１０４において制御部１５は、音楽データ識別情報内のリンクを順にたどっていき、ステップＳＰ１０５においてリンク先のコンテンツの再生処理を行い、音楽データ識別情報内のリンク先のコンテンツを全て再生処理し終えると、終了ステップＳＰ１０３に移り、この音楽再生処理手順ＲＴ８を終了する。これにより、例えば、音楽データ識別情報内のリンクが、同じアルバム内のコンテンツを紐付けるように登録されていれば、この音楽再生処理手順ＲＴ８にしたがい、携帯音楽再生装置５が、アルバム内のコンテンツを連続的に再生することができるようになる。ちなみに、このアルバム単位の再生時に、アルバム単位での購入操作が行われた場合には、各リンク先での購入確認をユーザに対して確認しないことも可能である。
【００９０】
またこのように、アルバム単位の再生時に、アルバム単位での購入操作が行われた場合には、その購入処理をリンク先のコンテンツも含めて行うことも可能である。この場合の購入処理を、図２１のフローチャートに示す。すなわち購入処理手順ＲＴ９のステップＳＰ１１０において携帯音楽再生装置５の制御部１５は、操作部１７を介してユーザによるアルバム単位の購入要求を受け付けるとステップＳＰ１１１に移り、アルバム自体（例えばアルバム内の１コンテンツ）の音楽データ状態情報が「存在有」でない場合には、「要求有」に設定して次のステップＳＰ１１２に移る。
【００９１】
ステップＳＰ１１２において制御部１５は、アルバム自体の音楽データ識別情報に基づき、リンクが存在する否かを判定する。ここで否定結果を得ると、このことはリンクが存在しないことを表し、このとき制御部１５は、終了ステップＳＰ１１３に移り、この購入処理手順ＲＴ９を終了する。これに対してこのステップＳＰ１１２で肯定結果を得ると、このことはリンクが存在していることを表し、このとき制御部１５は、ステップＳＰ１１４に移る。
【００９２】
ステップＳＰ１１４において制御部１５は、音楽データ識別情報内のリンクを順にたどっていき、ステップＳＰ１１５においてリンク先のコンテンツの音楽データ状態情報が「存在有」でない場合には、「要求有」に設定して、音楽データ識別情報内のリンク先のコンテンツの音楽データ状態情報を全て確認し終えると、終了ステップＳＰ１１３に移り、この音楽購入処理手順ＲＴ９を終了する。これにより、この購入処理手順ＲＴ９にしたがい、携帯音楽再生装置５が、アルバム内のコンテンツの音楽データ状態情報を一度に「要求有」に設定することができるようになる。ちなみにこの場合、アルバムのみの音楽データ状態情報を「要求有」に設定することも可能である。
【００９３】
ここで、このように音楽データ識別情報に同じアルバム内のコンテンツを示すリンクが含まれている場合に、アルバム内の曲（コンテンツ）を一括取得する方法について説明する。この場合、アルバムの全曲を単純に取得する方法にすると、既に取得済みの曲や曲単位で転送要求した曲と重なることが考えられる。このような曲を購入することは、ユーザに対して不要な費用負担をかけることになるので、同一曲を取得しない（または取得するための購入処理が発生しない）方法が望ましい。
【００９４】
そこで、このような条件に応じた、携帯音楽再生装置５で音楽転送要求リストを生成する音楽転送要求リスト生成処理について、図２２に示すフローチャートを用いて説明する。ちなみに、この音楽転送要求リスト生成処理は、上述した音楽転送要求処理手順ＲＴ３のステップＳＰ３３（図１１）で行う処理である。
【００９５】
すなわち音楽転送要求リスト生成処理手順ＲＴ１０のステップＳＰ１２０において携帯音楽再生装置５の制御部１５は、音楽管理リストＬ１Ｙ内のコンテンツを全て検索し終えたか否かを判定する。ここで音楽管理リストＬ１Ｙに例えば１つ以上のコンテンツが記されているとすると、このとき制御部１５は、まだ１つもコンテンツを検索していないので、このステップＳＰ１２０で否定結果を得て、ステップＳＰ１２１に移る。
【００９６】
ステップＳＰ１２１にておいて制御部１５は、１つ目のコンテンツを検索し、このコンテンツの音楽データ状態情報が「要求有」であるか否かを判定する。ここで否定結果を得ると、制御部７は、ステップＳＰ１２０に戻り、次のコンテンツの検索に移る。これに対して、このステップＳＰ１２１で肯定結果を得ると、このことは検索したコンテンツが転送要求されたコンテンツであることを表しており、このとき制御部１５は、ステップＳＰ１２２に移る。
【００９７】
ステップＳＰ１２２において制御部１５は、この転送要求されたコンテンツの音楽データ識別情報にリンクが存在するか否かを判定する。ここで肯定結果を得ると、このことは、この転送要求されたコンテンツが、例えば１曲のみのシングルであることを表しており、このとき制御部７は、ステップＳＰ１２３に移り、このコンテンツを音楽転送要求リストに追加して、ステップＳＰ１２０に戻り、次のコンテンツの検索に移る。これに対して、このステップＳＰ１２２で肯定結果を得ると、このことは、この転送要求されたコンテンツが、例えば複数曲を収録したアルバム内の１コンテンツであることを表しており、このとき制御部１５は、ステップＳＰ１２４に移る。
【００９８】
ステップＳＰ１２４において制御部１５は、音楽データ識別情報内のリンクを順にたどっていき、ステップＳＰ１２５においてリンク先のコンテンツが音楽管理リストＬ１Ｙ内に存在するか否か（すなわち取得済みであるか否か）を判定し、存在すると判定するとステップＳＰ１２４に戻って次のリンクに移り、存在しないと判定するとステップＳＰ１２６に移る。ステップＳＰ１２６において制御部１５は、リンク先のコンテンツが音楽転送要求リストに存在するか否かを判定し、存在すると判定するとステップＳＰ１２４に戻って次のリンクに移り、存在しないと判定するとステップＳＰ１２７に移る。ステップＳＰ１２７において制御部１５は、リンク先のコンテンツを音楽転送要求リストに追加する。そして、このステップＳＰ１２４〜１２５までの処理を音楽データ識別情報内の全てのリンク先のコンテンツに対して実行し終えると、制御部７は、ステップＳＰ１２０に戻り、次のコンテンツの検索に移る。
【００９９】
このように制御部７は、転送要求されたコンテンツの音楽データ識別情報内にリンクが存在する場合、各リンク先のコンテンツが既に取得済みであるか否かを確認し、取得済みでなければ、続いて転送要求済みであるか否かを確認し、転送要求済みでなければ、取得も転送要求もなされていないコンテンツであると認識して、このコンテンツを音楽転送要求リストに追加するようになされている。
【０１００】
そして、音楽管理リストＬ１Ｙに記された全てのコンテンツに対する検索が終了すると、制御部７は、ステップＳＰ１２０で肯定結果を得て、終了ステップＳＰ１２８に移り、この音楽転送要求リスト生成処理手順ＲＴ１０を終了する。
【０１０１】
このような音楽転送要求リスト生成処理手順ＲＴ１０にしたがって、音楽転送要リストを生成することにより、音楽再生端末４は、アルバム単位のコンテンツの転送要求を重複することなく行うことができる。
【０１０２】
また上位のサーバー側（例えば、携帯音楽再生装置５から見た音楽再生端末４）で必要な曲（すなわち転送するコンテンツ）を抜き出して判断することも可能である。この場合、転送要求と同時に例えば下位の装置（例えば携帯音楽再生装置５）内に存在する全曲データを上位に送信する。上位では転送要求がアルバム単位であった場合、そのアルバム内のリンクをたどりそれが下位の端末内に存在するか否かを確認することで、必要な曲だけを端末に転送することを可能となる。
【０１０３】
またこのように音楽データ識別情報に別の音楽データの情報としてリンクを含ませるようにした場合、この音楽データ識別情報は、アルバム単位のリンクに限らず、例えば、アーティスト、芸能人、有名人などが、自分の好きな曲またはアルバムを任意の再生順に並べたプレイリスト（いわゆるCelebrity PlayList）単位のリンクなど、この他種々の単位でグループ化されるコンテンツのリンクを含ませるようにしてもよい。
【０１０４】
さらにこの場合、音楽データ識別情報内に、アルバムタイトルや、このアルバムのアーティスト名などを含ませたり、プレイリスト名や、このプレイリストを作成した作成者名（アーティスト名、芸能人名、有名人名など）などを含ませるようにしてもよい。これにより、例えば図２３に示すように、取得音楽選択画面には、アルバム単位の情報（例えばアルバムタイトル及びアーティスト名）を表示し得ると共に、記憶保持していないアルバムの情報に対してはチェックボックスＣＫＢが対応付けて表示される。
【０１０５】
そして例えばこのチェックボックスＣＫＢにチェックマークＣＫＭをつける操作が行われると、音楽再生端末４や携帯音楽再生装置５は、該当する音楽データ識別情報が示すＩＤ及びリンクをもとに、上述した音楽転送要求リスト生成処理手順ＲＴ１０にしたがい音楽転送要求リストを生成することにより、必要な音楽データの転送を外部に要求して、このアルバムに含まれる音楽データを一括取得する。
【０１０６】
さらに例えば図２４に示すように、取得音楽選択画面には、プレイリスト単位の情報（例えばプレイリスト名及び作成者名）を表示し得ると共に、記憶保持していないプレイリストの情報に対してはチェックボックスＣＫＢが対応付けて表示される。
【０１０７】
そして例えばこのチェックボックスＣＫＢにチェックマークＣＫＭをつける操作が行われると、音楽再生端末４や携帯音楽再生装置５は、該当する音楽データ識別情報が示すＩＤ及びリンクをもとに、上述した音楽転送要求リスト生成処理手順ＲＴ１０にしたがい音楽転送要求リストを生成することにより、必要な音楽データの転送を外部に要求して、このプレイリストに含まれる音楽データを一括取得する。
【０１０８】
このように、アルバムやプレイリストに含まれる曲の音楽データを一括取得することで、複数曲の音楽データを取得する場合の操作を格段と容易にすることができる。ちなみに音楽関連リストＬ１Ｙには、異なる単位の音楽データ識別情報（すなわちリンクの数が異なる音楽データ識別情報）が混在していてもよく、この場合、例えば図２５に示すように、取得音楽選択画面には、１曲単位の情報（例えば、曲タイトル及びアーティスト名）、アルバム単位の情報（例えば、アルバムタイトル及びアーティスト名）、プレイリスト単位の情報（例えば、プレイリスト名及び作成者）が混在して表示される。
【０１０９】
また上述した実施の形態の場合、音楽提供サーバ２の制御部２２や音楽再生端末４の制御部７や携帯音楽再生装置５の制御部１５が、予めインストールされているプログラムに従って、上述した各処理手順ＲＴ１〜ＲＴ７をソフトウェア的に実行する場合について述べたが、本発明はこれに限らず、各処理手順ＲＴ１〜ＲＴ７をハードウェア的に実行させるようにしても良い。またこれら各処理手順ＲＴ１〜ＲＴ７を実行するためのプログラムを、ＣＤ（Compact Disc）等の記録媒体に記録しておいてもよい。
【０１１０】
因みに図１に示したコンテンツ取得装置１００は音楽再生端末４や携帯音楽再生装置５に相当し、図１に示した表示部１０２は音楽再生端末４の表示部１２や携帯音楽再生装置５の表示部２０に相当し、図１に示したコンテンツ記憶部１０１は端末記憶部８や携帯記憶部１６に相当し、図１に示した出力部１０３は音楽再生端末４の制御部７や携帯音楽再生装置５の制御部１５に相当し、図１に示したコンテンツ取得部１０４は音楽再生端末４の制御部７や携帯音楽再生装置５の制御部１５に相当する。
【産業上の利用可能性】
【０１１１】
本発明は、パーソナルコンピュータや携帯型音楽プレーヤ等のコンテンツ取得装置に利用することができる。
【図面の簡単な説明】
【０１１２】
【図１】コンテンツ取得装置の概要を示す略線図である。
【図２】本実施の形態による音楽購入転送システムの構成を示す略線図である。
【図３】音楽再生端末の構成を示す略線図である。
【図４】携帯音楽再生装置の構成を示す略線図である。
【図５】音楽提供サーバの構成を示す略線図である。
【図６】音楽管理リストの説明に供する略線図である。
【図７】音楽管理リストの伝播の説明に供する略線図である。
【図８】取得音楽選択画面の説明に供する略線図である。
【図９】取得音楽選択画面表示処理手順を示すフローチャートである。
【図１０】取得音楽選択処理手順を示すフローチャートである。
【図１１】転送購入処理を示すフローチャートである。
【図１２】転送購入処理を示すフローチャートである。
【図１３】リスト更新処理を示すフローチャートである。
【図１４】音楽再生処理手順を示すフローチャートである。
【図１５】他の実施形態による音楽管理リスト（１）の説明に供する略線図である。
【図１６】音楽再生処理手順を示すフローチャートである。
【図１７】他の実施形態による音楽データ状態情報の説明に供する略線図である。
【図１８】他の実施形態による取得音楽選択画面（１）の説明に供する略線図である。
【図１９】他の実施形態による音楽関連リスト（２）の説明に供する略線図である。
【図２０】他の実施形態による音楽再生処理手順を示すフローチャートである。
【図２１】他の実施形態による購入処理手順を示すフローチャートである。
【図２２】他の実施形態による音楽転送要求リスト生成処理手順を示すフローチャートである。
【図２３】他の実施形態による取得音楽選択画面（２）の説明に供する略線図である。
【図２４】他の実施形態による取得音楽選択画面（３）の説明に供する略線図である。
【図２５】他の実施形態による取得音楽選択画面（４）の説明に供する略線図である。
【符号の説明】
【０１１３】
１……音楽購入転送システム、２……音楽提供サーバ、４……音楽再生端末、５……携帯音楽再生装置、Ｌ１……管理リスト。
【図１】
2007042253.tif 000003
【図２】
2007042253.tif 000004
【図３】
2007042253.tif 000005
【図４】
2007042253.tif 000006
【図５】
2007042253.tif 000007
【図６】
2007042253.tif 000008
【図７】
2007042253.tif 000009
【図８】
2007042253.tif 000010
【図９】
2007042253.tif 000011
【図１０】
2007042253.tif 000012
【図１１】
2007042253.tif 000013
【図１２】
2007042253.tif 000014
【図１３】
2007042253.tif 000015
【図１４】
2007042253.tif 000016
【図１５】
2007042253.tif 000017
【図１６】
2007042253.tif 000018
【図１７】
2007042253.tif 000019
【図１８】
2007042253.tif 000020
【図１９】
2007042253.tif 000021
【図２０】
2007042253.tif 000022
【図２１】
2007042253.tif 000023
【図２２】
2007042253.tif 000024
【図２３】
2007042253.tif 000025
【図２４】
2007042253.tif 000026
【図２５】
2007042253.tif 000027